(57)【要約】【課題】懸垂部先端に、現場の据付条件によって撮影距離を充分に確保してＸ線管装置を取り付けることができるＸ線管保持装置を提供する。【解決手段】天井１に固定レール２と移動レール３が取り付けられ、懸垂された懸垂部４が水平方向に移動できる。懸垂部４の下方に上下に伸縮できる支柱の先端に、横形取付部材５ａ、縦形取付部材５ｂ、Ｘ線管取付部材５ｃを介して、Ｘ線可動絞り７を備えたＸ線管装置６が取り付けられる。横形取付部材５ａ、縦形取付部材５ｂ、Ｘ線管取付部材５ｃを分割可能に方向を変えて組み合わせ据え付けすることができる。（ａ）はＸ線管装置６を上部左側に、（ｂ）は上部右側に、（ｃ）は下部左側に、（ｄ）は下部右側に取り付けた状態を示し、Ｘ線管装置６は上下、左右対称な位置にそれぞれ据え付けることができる。【選択図】          図１
2004236746.tif 000002
【特許請求の範囲】
【請求項１】
天井に懸垂された懸垂部と、その下方端部に取り付けられるＸ線管装置のための取付部材と、この取付部材を介して取り付けられたＸ線管装置とこのＸ線管装置を操作させる操作部とを備え、操作者が前記操作部に設けられたスイッチと操作ハンドルとを操作し前記Ｘ線管装置を撮影位置に移動できるようにしたＸ線管保持装置において、前記取付部材を複数の部材に分割でき組立て方向を変えて取付可能にし、前記Ｘ線管装置および操作部を前記懸垂部に対して上下および左右対称の位置に取り付けできるように構成したことを特徴とするＸ線管保持装置。
【請求項２】
請求項１記載の取付部材は懸垂部における垂直軸の下端部に取り付けられこの垂直軸の軸芯を中心に回転可能な横形取付部材と、この横形取付部材の一端に取り付けられ水平軸芯を中心に回転可能な縦形取付部材と、この縦形取付部材の一端に取り付けられ水平軸芯を中心に回転可能なＸ線管取付部材にて構成され、このＸ線管取付部材にＸ線管装置を取り付けたことを特徴とする請求項１記載のＸ線管保持装置。
【発明の詳細な説明】
【０００１】
【発明の属する技術分野】
本発明は、Ｘ線管装置を保持するＸ線管保持装置に係わり、特に、Ｘ線撮影用に天井に設置された天井走行式のＸ線管保持装置に関する。
【０００２】
【従来の技術】
天井走行式のＸ線管保持装置は、天井にレールを設け、これに懸垂した台車から伸縮可能な支柱を下げ、下端にＸ線管装置を取り付けたもので、縦横走行、上下移動、Ｘ線管装置の旋回、回転、首振りなどが可能であり、位置の固定は電磁ロック式のものが多い。この天井走行式のＸ線管保持装置を用いれば、床に構造物が無いため、床面を有効に利用することができ、リーダ撮影台、ブッキー撮影台、Ｘ線透視撮影台等と組み合わせて診断に用いられる。
天井走行式のＸ線管保持装置の構成を、図５を参照して説明する。図５は天井走行式のＸ線管保持装置の外観図であり、（ａ）は正面図、（ｂ）は側面図を示す。
天井１に固定されたＹ方向に移動ガイド用の固定レール２と、その固定レール２上でＹ方向に移動でき、Ｘ方向に移動ガイド用のレールを備えた移動レール３と、その移動レール３の下部に取り付けられＸ−Ｙ方向に移動可能で、下部にＸ線管装置６を懸垂し上下に伸縮する支柱を備えた懸垂部４と、その懸垂部４にＸ線管装置６を取り付ける中間部品としての取付部材５と、Ｘ線可動絞り７をＸ線放射口に取り付けたＸ線管装置６が中間部品の取付部材５に取り付けられ、Ｘ線管装置６を撮影部位方向に移動操作するための操作ハンドル８ａを有する操作部８とから構成される（例えば、特許文献１参照。）。
【０００３】
天井走行式のＸ線管保持装置は、操作者がＸ線管装置６の前方に位置する操作部８の操作ハンドル８ａを両手で握り、操作部８に設けられたスイッチ（Ｘ方向移動ロックスイッチ、Ｙ方向移動ロックスイッチ、Ｚ方向上下動ロックスイッチなど）を選択することで、Ｘ、Ｙ、Ｚ方向の電磁ロックが解除され、懸垂部４を固定レール２、移動レール３上でＸ−Ｙ方向に移動させ、懸垂部４の支柱を上下に伸縮することができ、Ｘ線管装置６を自由に撮影方向に移動させることができる。さらにＸ線管装置６が取り付けられた取付軸を中心にして回転させることができ、必要な角度に傾斜させて、斜めからの撮影を行うこともできる。
【０００４】
【特許文献１】
特開平６−１６５７７３号公報  （第６頁、第５図、第６図）
【０００５】
【発明が解決しようとする課題】
従来のＸ線管保持装置は以上のように構成されているが、Ｘ線管装置６を水平面内での移動、上下移動、水平軸回転および垂直軸回転により、位置決め及び角度付けできるＸ線保持装置であっても、取付部材５が懸垂部４の先端に取り付けられるとき、取付方向が決まっており、据付現場の据付条件によって変更することができない。そのため操作室の天井１の高さや、装置のレイアウトによっては、Ｘ線管装置６の可動範囲が制限され、必要としている位置までＸ線管装置６を移動することができないという問題がある。また、別途部品を用意して個々に対応しなければならなかった。
【０００６】
本発明は、このような事情に鑑みてなされたものであって、天井から懸垂された懸垂部先端に、現場の据付条件によって撮影距離を充分に確保してＸ線管装置を取り付けることができるＸ線管保持装置を提供することを目的とする。
【０００７】
【課題を解決するための手段】
上記の目的を達成するため、本発明のＸ線管保持装置は、天井に懸垂された懸垂部と、その下方端部に取り付けられるＸ線管装置のための取付部材と、この取付部材を介して取り付けられたＸ線管装置とこのＸ線管装置を操作させる操作部とを備え、操作者が前記操作部に設けられたスイッチと操作ハンドルとを操作し前記Ｘ線管装置を撮影位置に移動できるようにしたＸ線管保持装置において、前記取付部材を複数の部材に分割でき組立て方向を変えて取付可能にし、前記Ｘ線管装置および操作部を前記懸垂部に対して上下および左右対称の位置に取り付けできるように構成したものである。
【０００８】
また、本発明のＸ線管保持装置は、取付部材は懸垂部における垂直軸の下端部に取り付けられこの垂直軸の軸芯を中心に回転可能な横形取付部材と、この横形取付部材の一端に取り付けられ水平軸芯を中心に回転可能な縦形取付部材と、この縦形取付部材の一端に取り付けられ水平軸心を中心に回転可能なＸ線管取付部材にて構成され、このＸ線管取付部材にＸ線管装置を取り付けたものである。
【０００９】
本発明のＸ線管保持装置は上記のように構成されており、天井に懸垂された懸垂部の先端と保持されるＸ線管装置との間に、複数の部材、例えば、懸垂部における垂直軸の下端部に取り付けられ、この垂直軸の軸芯を中心に回転可能な横形取付部材と、この横形形取付部材の一端に取り付けられ水平軸芯を中心に回転可能な縦形取付部材と、この縦形取付部材の一端に取り付けられ水平軸芯を中心に回転可能なＸ線管取付部材とを用い、３分割された取付部材の組み立て方向を変え、Ｘ線管装置を取り付ける取付部材を組み立て、そして、Ｘ線管装置および操作部を、懸垂部に対して上下および左右対称の位置に、方向と高さを変えて取り付ける。
分割された各部材を、取付けの組み合わせにより、同一部材で取付方向を変更するだけで、現地据え付け時に複数の設置方向が可能となり、上下方向及び水平方向の可動範囲を有効に利用する。そして、装置のロック機構などの配置の変更をせずに対称位置に取り付ける。
【００１０】
【発明の実施の形態】
本発明のＸ線管保持装置の一実施例を、図１を参照しながら説明する。図１は本発明のＸ線管保持装置の４組の設置状態を示し、（ａ）はＸ線管装置６が上部左位置に取り付けられた状態、（ｂ）はＸ線管装置６が上部右位置に取り付けられた状態、（ｃ）はＸ線管装置６が下部左位置に取り付けられた状態、（ｄ）はＸ線管装置６が下部右位置に取り付けられた状態を示す。
本Ｘ線管保持装置は、天井１に固定されたＹ方向に移動ガイド用の固定レール２と、その固定レール２上でＹ方向に移動でき、Ｘ方向に移動ガイド用のレールを備えた移動レール３と、その移動レール３の下部に取り付けらＸ−Ｙ方向に移動可能で、下部にＸ線管装置６を懸垂し上下に伸縮する支柱を備えた懸垂部４と、その懸垂部４にＸ線管装置６を取り付けるための中間部材としての横形取付部材５ａ、縦形取付部材５ｂ、Ｘ線管取付部材５ｃと、Ｘ線可動絞り７を取り付けたＸ線管装置６がＸ線管取付部材５ｃに取り付けられ、Ｘ線管装置６を撮影部位方向に移動操作するための操作ハンドルを有する操作部（図示せず）とから構成される。
【００１１】
本Ｘ線管保持装置を構成する各部について説明する。
固定レール２は、天井１に固定され、下部に取り付けられた移動レール３の全体（枠）をＹ方向（図１の左右方向）に移動させるガイド用のレールを備えている。
移動レール３は、固定レール２のガイド用のレール上をローラでＹ方向に移動でき、そのローラを備えた枠組に、Ｘ方向に移動ガイド用のレールを備えたものである。
懸垂部４は、移動レール３の下部に取り付けら、移動レール３のガイド用のレール上をローラでＸ方向に移動でき、固定レール２と移動レール３によりＸ−Ｙ方向に移動可能で、下部にＸ線管装置６を懸垂し上下に伸縮する支柱を備えたものである。
横形取付部材５ａ、縦形取付部材５ｂ、Ｘ線管取付部材５ｃは、懸垂部４の支柱の先端にＸ線管装置６と操作部（図示せず）を取り付けるための中間部材である。
横形取付部材５ａは、懸垂部４の支柱の先端に取り付けられ、支柱に対して左右反対向きに取り付けできるように設計され、さらに、支柱の中心軸回りに回転し任意の角度で固定できるようにされている。
縦形取付部材５ｂは、横形取付部材５ａの支柱から遠い方の端部に直角に取り付けられ、且つ上下反対向きにも取り付けできるように設計されている。
Ｘ線管取付部材５ｃは、縦形取付部材５ｂが横形取付部材５ａに取り付けられた面の反対側の離れた位置に取り付けられ、且つ前後反対向きに取り付けられるように設計されている。
このように横形取付部材５ａ、縦形取付部材５ｂ、Ｘ線管取付部材５ｃの３個の中間部材を、いろいろ組合せを行うことにより、Ｘ線管装置６を懸垂部４に対して、８通りの位置と方向に向けて取り付けることができる。
操作部（図示せず）は、Ｘ線管取付部材５ｃに取り付けられ、Ｘ線可動絞り７を取り付けたＸ線管装置６の前面に位置し、操作パネルと操作ハンドルが備えられている。
さらに、Ｘ線管装置６と操作部はＸ線管取付部材５ｃに取り付けられるが、取付軸を中心に手動で回転し固定することもできる。それによって斜めからのＸ線照射による斜入撮影を行うこともできる。
操作パネルには各スイッチ（Ｘ方向移動ロック解除スイッチ、Ｙ方向移動ロック解除スイッチ、Ｚ方向上下動ロック解除スイッチなど）が設けられ、操作者が操作ハンドルを握り、各スイッチを押しながら装置を前後・左右・上下に押すことで、懸垂部４が固定レール２、移動レール３上でＸ−Ｙ方向に移動し、懸垂部４の支柱が上下に伸縮し、Ｘ線管装置６を撮影位置に移動させることができる。各スイッチを押すことをやめることで、所定の位置に固定することができる。そしてＸ線管装置６のＸ線放射口に取り付けられたＸ線可動絞り７の操作盤が、Ｘ線管保持装置の操作部の操作パネルの前方近傍に位置するので、Ｘ線可動絞り７の操作盤の照準ランプを点灯して、Ｘ線照射野を決め、撮影を行うことができる。
図１に示す（ａ）はＸ線管装置６が上部左位置に、（ｂ）は上部右位置に取り付けられた状態であり、天井１の低い検査室に適する。また、（ｃ）はＸ線管装置６が下部左位置に、（ｄ）は下部右位置に取り付けられた状態であり、天井の高い検査室に適する。
【００１２】
次に、本装置を設置する環境が制約された実施例を、図２、図３、図４を参照しながら説明する。
図２は天井１が低く、撮影テーブル９との撮影距離（Ｘ線管焦点・受像面間距離）ＳＩＤを充分に確保するために、縦形取付部材５ｂ、Ｘ線管取付部材５ｃを上側に取り付けたケースを示す。
図３は天井１が高い部屋において撮影スタンド（図示せず）と組み合わせた場合に、膝下までの撮影が可能なように、縦形取付部材５ｂ、Ｘ線管取付部材５ｃを下側に取り付けたケースを示す。
図４は狭い部屋で撮影スタンド１２と組み合わせた場合に、撮影距離を充分に確保するために、縦形取付部材５ｂ、Ｘ線管取付部材５ｃの取付方向を変更するだけで可能となるケースを示す。
図２においては、天井１から床１１までの高さが低い検査室に、受像部（フイルムなどを収容したカセッテ）１０を天板の下部に装備した撮影テーブル９がセットされており、天井１から固定レール２、移動レール３を介して懸垂部４が懸垂され、その支柱の下端に横形取付部材５ａを取り付け、Ｘ線管装置６が上方に位置するように、縦形取付部材５ｂ及びＸ線管取付部材５ｃが組み合わされて、図示するように取り付けられる。そして、Ｘ線可動絞り７を装備したＸ線管装置６と装置の操作部（図示せず）が、Ｘ線管取付部材５ｃに取り付けられる。このように組み合わせて取り付け、懸垂部４の支柱を上方に短く押し上げると、天井１の低い検査室でも、撮影距離ＳＩＤを充分に確保することができる。
図３においては、天井１から床１１までの高さが高い検査室に、撮影スタンド（図示せず）がセットされており、天井１から固定レール２、移動レール３を介して懸垂部４が懸垂され、その支柱の下端に横形取付部材５ａを取り付け、Ｘ線管装置６が下方横方向に位置するように、縦形取付部材５ｂ及びＸ線管取付部材５ｃが組み合わされて、図示するように取り付けられる。そして、Ｘ線可動絞り７を装備したＸ線管装置６と装置の操作部（図示せず）がＸ線管取付部材５ｃに取り付けられる。このように組み合わせて取り付け、懸垂部４の支柱を下方に伸ばしてセットすれば、天井１の高い検査室でも、膝下までの撮影が撮影距離ＳＩＤを充分に確保して行うことができる。
図４においては、天井１から床１１までの高さ、および前後の壁１４間の距離が短く狭い検査室に、受像部１３を収容した撮影スタンド１２がセットされており、天井１から固定レール２、移動レール３を介して懸垂部４が懸垂され、その支柱の下端に横形取付部材５ａを取り付け、Ｘ線管装置６が上方横方向に位置するように、縦形取付部材５ｂ及びＸ線管取付部材５ｃが組み合わされて、図示するように取り付けられる。そして、Ｘ線可動絞り７を装備したＸ線管装置６と装置の操作部（図示せず）がＸ線管取付部材５ｃに取り付けられる。このように組み合わせて取り付け、懸垂部４の支柱を上方に押し上げてセットすれば、狭い検査室でも撮影スタンド１２と組み合わせて、撮影距離ＳＩＤを充分に確保して撮影を行うことができる。
そして、上記の図２、図３、図４は、すべて現地据え付け時に、横形取付部材５ａ、縦形取付部材５ｂ、Ｘ線管取付部材５ｃの取付方向を変更するだけで可能となる。
【００１３】
【発明の効果】
本発明のＸ線管保持装置は上記のように構成されており、Ｘ線管装置が懸垂部の先端に複数の部材から構成された取付部材を介して取り付けられ、その複数の部材の取付けの組み合わせにより、同一部材で取付方向を変更するだけで、現地据え付け時に複数の設置方向が可能となる。そのため、Ｘ線管装置および操作部を、懸垂部に対して上下および左右対称の位置に、現場の据付条件によって操作しやすい方向に、装置のロック機構などの配置の変更なしに取り付けることができ、操作室の天井の高さ、およびレイアウトに対応して、Ｘ線管装置の設置高さ、および設置方向を変更することで、上下方向及び水平方向の装置の可動範囲を有効に利用することができる。
【図面の簡単な説明】
【図１】本発明のＸ線管保持装置の一実施例を示す図である。
【図２】本発明のＸ線管保持装置を天井の低い検査室に設置した場合を示す図である。
【図３】本発明のＸ線管保持装置を天井の高い検査室に設置した場合を示す図である。
【図４】本発明のＸ線管保持装置を狭い検査室に設置して撮影距離を充分に確保した場合を示す図である。
【図５】従来のＸ線管保持装置を示す図である。
【符号の説明】
１  天井
２  固定レール
３  移動レール
４  懸垂部
５  取付部材
５ａ  横形取付部材
５ｂ  縦形取付部材
５ｃ  Ｘ線管取付部材
６  Ｘ線管装置
７  Ｘ線可動絞り
８  操作部
８ａ  操作ハンドル
９  撮影テーブル
１０  受像部
１１  床
１２  撮影スタンド
１３  受像部
【図１】
2004236746.tif 000003
【図２】
2004236746.tif 000004
【図３】
2004236746.tif 000005
【図４】
2004236746.tif 000006
【図５】
2004236746.tif 000007